(57)【要約】【課題】  本発明の第１の目的は、小型かつ安価な、バラ積みされたコインを一個ずつ自動的に投入するゲーム機のコイン整列装置を提供することである。  本発明の第２の目的は、駆動源を用いずに、バラ積みされたコインを一個ずつ自動的に投入するゲーム機のコイン整列装置を提供することである。【解決手段】  コイン面をほぼ垂直にして投入口に投入するゲーム機において、前記投入口の上方に位置し、一方向に傾斜し、コインが自重で滑り落ちるよう傾斜すると共にその傾斜方向に対し直交方向にコイン直径の倍以上の幅を有するスライド部、前記スライド部の上側に位置し、コイン厚みを超え、且つ、二倍以下の間隔を有する一枚分離開口、前記一枚分離開口の下流に配置され、前記一枚分離開口を通過したコインをほぼ垂直に案内するガイド部、を備えるゲーム機のコイン整列装置である。【選択図】図１
2005073976.tif 000002
【特許請求の範囲】
【請求項１】
コイン面をほぼ垂直にして投入口（１１６）に投入するゲーム機において、
前記投入口（１１６）の上方に位置し、一方向に傾斜し、コインが自重で滑り落ちるよう傾斜すると共にその傾斜方向に対し直交方向にコイン（１１０）直径の倍以上の幅を有するスライド部（１０２）、
前記スライド部（１０２）の上側に位置し、コイン厚みを超え、且つ、二倍以下の間隔を有する一枚分離開口（１０４）、
前記一枚分離開口（１０４）の下流に配置され、前記一枚分離開口（１０４）を通過したコイン（１１０）をほぼ垂直に案内するガイド部（１０６）、
を備えるゲーム機のコイン整列装置。
【請求項２】
コイン面をほぼ垂直にして投入口（１１６）に投入するゲーム機において、前記投入口（１１６）の上方に位置し、一方向に傾斜し、コインが自重で滑り落ちるよう傾斜すると共にその傾斜方向に対し直交方向にコイン（１１０）直径の倍以上の幅を有するスライド部(１０２)、
前記スライド部（１０２）の上方に位置し、前記スライド部（１０２）に対しコイン厚みを超える間隔を有する規制体（１３０）、
前記規制体（１３０）上面に設けられたコイン一枚が通過可能な複数の一枚分離開口（２０４、２０６、２０８）、
前記一枚分離開口（２０４、２０６、２０８）の下流に配置され、前記一枚分離開口（２０４、２０６、２０８）を通過したコイン（１１０）をほぼ垂直に案内するガイド部（１０６）、
を備えるゲーム機のコイン整列装置。
【請求項３】
前記ガイド部（１０６）は、コイン（１１０）の厚みを超え、かつ、二倍以下の間隔で配置した第１ガイド部（１４２）と第２ガイド部（１５４）を備え、
前記第２ガイド部（１５４）を第１ガイド部（１４２）から離れるよう移動することにより、ジャムしたコインを排除する請求項１または２のゲーム機のコイン整列装置。
【請求項４】
前記一枚分離開口（２０４、２０６、２０８）は、傾斜の上方に向かってティアドロップ形である請求項２のゲーム機のコイン整列装置。
【請求項５】
前記一枚分離開口（２０４、２０６、２０８）の上側端（２１６）と前記規制体（１３０）の上端部（２００）との距離は、前記コイン（１１０）の直径よりも小である請求項４のゲーム機のコイン整列装置。
【請求項６】
前記ガイド部（１０６）の下方に選別装置側に下降するガイドレール（１４４）を配置した請求項４記載のゲーム機のコイン整列装置。
【発明の詳細な説明】
【技術分野】
【０００１】
本発明は、ゲーム機の投入口にコインを一枚ずつ自動的に投入するためのコイン整列装置に関する。
詳しくは、バラ積みしたコインを一枚ずつ自動的に投入口に投入するためのコイン整列装置に関する。
さらに詳しくは、バラ積みしたコインを手で攪拌することによりコインを一枚ずつ整列でき、小型、かつ、安価なコイン整列装置に関する。
なお、本明細書で使用する「コイン」は、コイン、ゲーム機のトークン、及び、それらと類似のものを包含する。
【背景技術】
【０００２】
ゲーム者がゲームに集中できるよう、コインの投入操作の容易化技術が提案されている。
第１の従来技術として、一括投入口に一括して投入したコインを、コイン貯留部とコイン放出機構を有するホッパ装置に供給し、そのホッパ装置からコインをコイン選別器に一個ずつ送り出し、もって、コインが所定数になった場合にゲームを可能にするものが知られている（例えば、特許文献１参照。）。
第２の従来技術として、一括投入部に一括して投入したコインを、異物セパレータを介してコイン送出装置に供給し、このコイン送出装置により、真正コインを選別するとともに一個ずつ送り出すものが知られている（例えば、特許文献２参照。）。
【０００３】
【特許文献１】特公平６―７３５６３号（図２、第２―３頁）
【特許文献２】特開２０００-２８５２７３号（図１８―３５、第７―９頁）
【発明の開示】
【発明が解決しようとする課題】
【０００４】
前記第１および第２の従来技術は、一括投入したコインを一個ずつ送り出すため、回転板を用いるホッパ装置や送出装置を設けるため、大型であるとともに高価であるという問題がある。
【０００５】
本発明の第１の目的は、小型かつ安価な、バラ積みされたコインを自動的に一個ずつ投入口へ投入するゲーム機のコイン整列装置を提供することである。
本発明の第２の目的は、駆動源を用いずに、バラ積みされたコインを自動的に一個ずつ投入口へ投入するゲーム機のコイン整列装置を提供することである。
【課題を解決するための手段】
【０００６】
この目的を達成するため、第１の発明にかかるゲーム機のコイン整列装置は以下のように構成される。
コイン面をほぼ垂直にして投入口に投入するゲーム機において、前記投入口の上方に位置し、一方向に傾斜し、コインが自重で滑り落ちるよう傾斜すると共にその傾斜方向に対し直交方向にコイン直径の倍以上の幅を有するスライド部、前記スライド部の上側に位置し、コイン厚みを超え、且つ、二倍以下の間隔を有する一枚分離開口、前記一枚分離開口の下流に配置され、前記一枚分離開口を通過したコインをほぼ垂直に案内するガイド部、を備えるゲーム機のコイン整列装置である。
【発明の効果】
【０００７】
この構成において、多数のコインは、スライド部にバラ積み状態に投入される。
スライド部に載置されたコインは、傾斜によりスライド部を滑り落ち、一枚分離開口から一枚、或いは横方向に並んで複数のコインが滑り落ちる。
滑り落ちたコインは、ガイド部において投入口への投入に適するようほぼ垂直に姿勢転換される。
これにより、コインは、一枚ずつ区分け、整列されて次工程のコイン投入口に到達する。
スライド部のコインがジャム状態の場合、ゲーム者がジャムしているコインを手で攪拌することにより、前述のようにコインが一枚分離開口へ滑り込み、一枚ずつ区分け、整列される。
したがって、第１の発明のコイン整列装置は、動力を使用しないので、小型であるとともにランニングコストを要せず、さらに、安価である利点がある。
【０００８】
第２の発明は、コイン面をほぼ垂直にして投入口に投入するゲーム機において、前記投入口の上方に位置し、一方向に傾斜し、コインが自重で滑り落ちるよう傾斜すると共にその傾斜方向に対し直交方向にコイン直径の倍以上の幅を有するスライド部、
前記スライド部の上方に位置し、前記スライド部に対しコイン厚みを超える間隔を有する規制体、前記規制体上面にコイン一枚が通過可能な複数の一枚分離開口、前記一枚分離開口の下流に配置され、前記一枚分離開口を通過したコインをほぼ垂直に案内するガイド部、を備えるゲーム機のコイン整列装置である。
【０００９】
この構成において、多数のコインは、スライド部にバラ積み状態に投入される。
さらに、スライド部から規制体上に滑り落ちる。
或いは、規制体上のみを滑り落ちる。
規制体上を滑り落ちるコインは、規制体の上面に位置する複数の一枚分離開口に一個ずつ、同時に或いは時間ずれをもって落下する。
一枚分離開口に落下したコインは、スライド部を滑り落ちる。
これにより、コインは、一枚分離開口に落下することで一枚ずつ区分け整列され、次に、ガイド部によってほぼ垂直に姿勢を変えられた後、選別装置の投入口に誘導される。
【００１０】
一枚分離開口上のコインがジャム状態の場合、ゲーム者がジャムしているコインを手で攪拌することにより、前述のようにコインが一枚分離開口に落下することができ、一枚ずつ区分けされる。
したがって、本発明のコイン整列装置は、動力を使用しないので、小型であるとともにランニングコストを要せず、さらに、安価である利点がある。
【００１１】
本発明は、前記ガイド部に対し、コインの厚みを超え、かつ、二倍以下の間隔で配置した第２ガイド部を配置し、前記第２ガイド部を移動することにより、詰まったコインを排除することが好ましい。
この構成において、コインがガイド部と第２ガイド部の間のコイン通路でジャムした場合、第２ガイド部を移動させてガイド部との距離を離すことにより、ジャムコインを落下させることができる利点がある。
【００１２】
本発明において、前記一枚分離開口は、傾斜の上方に向かってティアドロップ形であることが好ましい。
この構成において、一枚分離開口から落下したコインが規制体とスライド部との間でジャムした場合、ゲーム者は指先をティアドロップ部を構成する三角部に挿入してコインを押し出すことができるので、ジャムを解消できるという効果がある。
【００１３】
本発明において、前記一枚分離開口の上側端と前記規制体の上側端との距離は、前記コインの直径よりも小であることが好ましい。
この構成において、コインがスライド部と規制体の上端部との間の一枚分離開口でジャムした場合、規制体の一枚分離開口に挿入した指先で一枚分離開口部に位置するコインを移動させることにより、ジャムを解消できる利点を有する。
【００１４】
本発明において、前記ガイド部は、選別装置側に下降するガイドレールを含んでいることが好ましい。
この構成において、ガイド部に案内されたコインはガイドレール上を転がって選別装置に到達する。
したがって、コインはガイドレールという簡単な装置で選別装置に案内されるので、安価に構成できる利点を有する。
【発明を実施するための最良の形態】
【００１５】
コイン面をほぼ垂直にして投入口に投入するゲーム機において、前記投入口の上方に位置し、一方向に傾斜し、コインが自重で滑り落ちるよう傾斜すると共にその傾斜方向に対し直交方向にコイン直径の倍以上の幅を有するスライド部、前記スライド部の上方に位置し、前記スライド部に対しコイン厚みを超える間隔を有する規制体、前記規制体の上端部とスライド部との間に形成された第１の一枚分離開口、前記規制体上面に設けられたコイン一枚が通過可能な複数の第２の一枚分離開口、前記第１及び第２の一枚分離開口の下流に配置され、前記一枚分離開口を通過したコインをほぼ垂直に案内するガイド部を備えるゲーム機のコイン整列装置である。
【実施例１】
【００１６】
図１は、実施例１のコイン整列装置の斜視図である。
図２は、実施例１のコイン整列装置の平面図である。
図３は、実施例１のコイン整列装置の正面図である。
図４は、実施例１のコイン整列装置の左側面図である。
図５は、図２におけるＡ―Ａ断面図である。
【００１７】
図１において、コイン整列装置１００は、ほぼ矩形の皿状であって、スライド部１０２、一枚分離開口１０４、ガイド部１０６により構成されている。
コイン整列装置１００は、ゲーム機１０８、例えばパチンコ型スロットマシンに図示しないフックなどにより取り付けられている。
【００１８】
コイン整列装置１００の下流には、コイン１１０の真偽を判別し、偽コインを排除する選別装置１１２が配置されている。
この選別装置１１２は、ほぼ垂直状態のコイン１１０を受け入れ、自然落下する過程で前記のように偽コインを排除する。
【００１９】
コイン整列装置１００の側方に手動投入口１１４が配置され、前記選別装置１１２の投入口１１６に通路１１８によって連通されている。
この手動投入口１１４は、従来用いられているものであって、ほぼ垂立するもたれ板１１５にコイン１１０をあてがってほぼ垂直にし、その状態で手動投入口１１４に落下させるものである。
【００２０】
まず、スライド部１０２を説明する。
スライド部１０２は、投入されたコイン１１０がその上を滑り落ちる機能を有している。
実施例においては、矩形の平板よりなる傾斜体１２０が前下がりに傾斜し、その上のコイン１１０は自重によって滑り落ちることができる。
【００２１】
傾斜体１２０は、コイン１１０が横方向（滑り落ちる方向に対し直交する方向）に複数並んで滑り落ちることができるよう、コイン１１０の直径の２倍以上の幅を持っている。
傾斜体１２０は、投げ込まれたコイン１１０により疵付かないよう、また、摩耗を防ぐため、さらには錆びて滑り難くならないよう、金属、特にステンレススティールを採用することが好ましい。
【００２２】
なお、傾斜体１２０は棒体を所定の間隔で複数並列した縦格子状体を用いることができる。
縦格子状体を用いた場合、棒体の隙間からゴミ等が落下するので、選別装置１１２のジャムの原因を取り除ける利点がある。
また、傾斜体１２０の上面にコイン１１０のスライド方向に伸びる凸条を複数形成し、接触面積を減らすことにより、コイン１１０がスムーズに滑り落ちるようにしてもよい。
【００２３】
傾斜体１２０の傾斜は、コイン１１０が重力により滑り落ちるよう傾斜していればよい。
しかし、傾斜角度が大きすぎるとコイン整列装置１００が大きくなるので、水平線に対して２０度から３０度の範囲が好ましい。  
傾斜体１２０のサイドから左側壁１２４、右側壁１２６、前サイドから前側壁１２８が垂直上方に伸びている。
これら側壁は、後述の後側壁１３２と共に矩形の保留部１３４を構成している。
【００２４】
次に一枚分離開口１０４を説明する。
一枚分離開口１０４は、傾斜体１２０上を滑るコイン１１０が重ならないように分離する機能を有する。
左右端を左側壁１２４と右側壁１２６とにそれぞれ固定された板状の規制体１３０が、傾斜体１２０の上側に配置されている。
【００２５】
規制体１３０は、傾斜体１２０と平行であり、かつ、コイン１１０の厚みを超え、二枚以下の厚み分離れて配置されている。
図５に示すように、規制体１３０の上端１３３と傾斜体１２０、左側壁１２４及び右側壁１２６で囲まれた矩形の開口が一枚分離開口１０４である。
【００２６】
実施例１において、コイン１１０は一枚分離開口１０４において、横方向に複数並んで滑り落ちることができる。
したがって、コイン１１０の直径方向の分離は、傾斜体１２０にコイン１１０が面接触することにより行われる。
【００２７】
これにより、コイン１１０はガイド部１０６を経由して連続的に選別装置１１２に供給される。
並んで滑り落ちることができるコイン数が多い場合、整列装置１００の幅を大きくするので、３から５枚が並んで滑り落ちることが出来るよう設定することが小型化のため好ましい。
【００２８】
なお、規制体１３０と傾斜体１２０との間隔は、一枚分離開口１０４においてのみ、コイン１１０の厚みを超え、二枚以下の厚み分離れて配置されていればよい。
そのため、一枚分離開口１０４よりも下流の規制体１３０と傾斜体１２０との間隔は、コイン厚みの２倍以上でもよい。
規制体１３０の下端と左側壁１２４及び右側壁１２６に接続し、斜め後上方に立ち上がる後側壁１３２が設けられている。
それら側壁および規制体１３０は、例えば、樹脂により一体成型される。
樹脂で製造することにより、ゲーム者の怪我を防止し、安価に製造することができる。
【００２９】
これら左側壁１２４、右側壁１２６、前側壁１２８及び後側壁１３２によって傾斜体１２０および規制体１３０および傾斜体１２０の上方に矩形の保留部１３４を構成している。
ゲーム者によって投げ込まれた多数のコイン１１０は、この保留部１３４に保留される。
【００３０】
規制体１３０に載っているコイン１１０は、ゲーム者が指先によって傾斜体１２０側へ掻き寄せて傾斜体１２０上を滑り落ちるようにする。
もし、コイン１１０が一枚分離開口１０４においてジャムした場合、ゲーム者がジャムしているコイン１１０を指先で攪拌することにより、ジャムを解消する。
【００３１】
次にガイド部１０６を説明する。
ガイド部１０６は、一枚分離開口１０４を通過したコイン１１０を、ほぼ垂立するよう姿勢変化させる機能を有する。
ガイド部１０６は、傾斜体１２０の下流に位置する第１ガイド１３６と第１ガイド１３６に平行に、かつ、コイン１１０の厚みを超え２倍以下の間隔で配置した第２ガイド１３８とにより構成されている。
【００３２】
第１ガイド１３６は、傾斜体１２０の下端部に接続する弧状部１４０、この弧状部１４０に続いてほぼ垂直下方に伸びる第１ガイド部１４２、及び第１ガイド部１４２の下端部をほぼ水平に折り曲げたガイドレール１４４を含んでいる。
換言すれば、傾斜体１２０と第１ガイド１３６は金属で一体化されている。
ガイドレール１４４は、コイン１１０がその周面をガイドされて選別装置１１２に向かって転がるよう傾斜するとともに、図５に示すように、後下がりに僅かに傾斜している。
第１ガイド１３６を傾斜体１２０と一体に製造することにより、製造工程を少なくでき、安価に製造することができる。
【００３３】
図１に示すように、第２ガイド１３８は上端部の左右から突出した軸１４６が、左側壁１２４から突出する第１軸受１４８と右側壁１２６から突出する第２軸受１５０とにピボット可能に支持されている。
図５に示すように、第２ガイド１３８は上端部において横方向、換言すれば、第１ガイド部１４２から離れる方向に湾曲する転向部１５２及び第１ガイド部１４２と平行にほぼ垂直下方に伸びる第２ガイド部１５４を含んでいる。
【００３４】
第２ガイド部１５４の下端１５６は、通常、ガイドレール１４４と実質的に隙間を空けないよう傾斜している。
通常状態において、第２ガイド１３８は、図示しないスプリングにより図５において反時計方向に回動され、第１ガイド部１４２から突出する位置決めピン１５７によって所定の間隔に保持され、コイン通路１５８を構成している。
コイン通路１５８の厚みは、コイン１１０の厚みを超え、かつ、２倍以下である。
なぜなら、コイン１１０が、コイン通路１５８において二枚並列してジャムしないためである。
【００３５】
転向部１５２と第１ガイド壁１４２の上端部の間隔は、コイン通路１５８の厚みの約４倍に形成されている。
これは、弧状部１４０に下面をガイドされるコイン１１０が自重によってスムーズに向きをほぼ垂直に姿勢を変えられるようにするためである。
第２ガイド１３８と一体に右側壁１２６の側方に伸びる解除レバー１６２が形成されている。
【００３６】
解除レバー１６２を押し下げた場合、第２ガイド１３８が図５において時計方向へ回動される。
これにより、第２ガイド壁１５４の下端１５６とガイドレール１４４との間には開口が形成される。
この開口から、コイン通路１５８においてジャムしているコイン１１０が落下し、図示しない通路を通って返却口（図示せず）に戻される。
【００３７】
ガイド部１０６の下流に選別装置１１２の投入口１１６が、コイン通路１５８の右端面１６６の下方、かつ、側方に配置されている。
なお、図示を省略したが、右端面１６６と投入口１１６との間のコイン通路は、ガイド板により画定されている。
【００３８】
次に、本実施例１の作用を説明する。
まず、所定数、例えば５０枚のコイン１１０を保留部１３４に投入する。
傾斜体１２０上を滑り落ちるコイン１１０は、一枚分離開口１０４を通って傾斜体１１０と規制体１３０との間の分離通路１３１に進入し、分離通路１３１を滑り落ちる。
【００３９】
分離通路１３１を通過したコイン１１０は、弧状部１４０によって下面を支えられつつその先端１１１が転向部１５２の弧面によってガイドされ、ほぼ垂直に姿勢を転向し、コイン通路１５８に落下する。
コイン通路１５８に落下したコイン１１０は、ガイドレール１４４の傾斜によって第１ガイド部１４２と第２ガイド部１５４によって案内されつつ選別装置１１２側へ転がり落ちる。
【００４０】
コイン通路１５８の右端面１６６から転がり出たコイン１１０は、投入口１１６に転がり込み、選別装置１１２の選別通路（図示せず）を転がりながら、真偽を判別される。
偽コインは、図示しない返却通路へ案内されて返却口へ戻される。
真コインは、コイン貯留部へ案内される。
【００４１】
コイン１１０が傾斜体１２０上を横方向に複数個並列して滑り落ちる場合、それらコイン１１０は、ほぼ同時、または時間遅れをもって一枚分離開口１０４に進入し、前述同様コイン通路１５８に落下してガイドレール１４４上を転がって選別装置１１２の投入口１１６に立った状態で転がり込む。
コイン１１０は、一枚分離開口１０４を通過することにより一枚ずつ分離され、整列される。
【００４２】
ガイドレール１４４の上流側に落ち、ガイドレール１４４上を転がっているコイン１１０のほぼ真上にコイン１１０が落ちた場合、落ちたコイン１１０下のコイン１１０に支えられ、下のコイン１１０が通過した後ガイドレール１４４に落下して転がり落ちる。
コイン１１０が上流側に落ちたコイン１１０の先端近くに落ちた場合、そのコイン１１０の転がりを一時ストップしてガイドレール１４４に落下し、連続して転がり落ちる。
【００４３】
下流側に落ちたコイン１１０の後端近くにコイン１１０が落ちた場合、落下が一時阻止され、前のコイン１１０に続いてガイドレール１４４上を転がり落ちる。
コイン１１０が積み重なって一枚分離開口１０４に達した場合、最下のコイン１１０のみが一枚分離開口１０４に進入する。
【００４４】
上に載っているコイン１１０は、規制体１３０の上端１３３によって停止され、最下のコイン１１０が通過した後、傾斜体１２０上に落下するため、前記最下のコイン１１０同様一枚分離開口１０４に進入する。
規制体１３０上に載ったコイン１１０は、手の平の手首に近い部分を前側壁１２８の上端にあてがい、指先を折り曲げるようにして傾斜体１２０上に移動させる。
【００４５】
傾斜体１２０に載ったコイン１１０は、前述同様一枚ずつ一枚分離開口１０４に進入する。
前術したように、コイン１１０は、一枚分離開口１０４を通過することで一枚ずつ分離され、整列される。
【００４６】
次いで、コイン１１０は、ガイド部１０６において選別装置１１２の投入口１１６への投入に適するようほぼ垂立状態に姿勢を転換された後、投入口１１６に案内される。
結果として、コイン１１０を棒状に揃えることなく投入口１１６に投入できるので、ゲーム者の負担が軽減し、ゲームに集中することができる。
特に、初心者である場合、ゲームに親しみやすくなる効果がある。
【実施例２】
【００４７】
図６は、第２実施例のコイン整列装置の斜視図である。
図７は、第２実施例のコイン整列装置の平面図である。
図８は、図７におけるＢ―Ｂ断面図である。
実施例１と同様部位には、同一記号を付して説明を省略する。
【００４８】
規制体１３０の上端１３３下方の開口は、図８に示すように、傾斜するガイド板２０２によって閉止されている。
図７に示すように、規制体１３０に横方向に並列して一枚分離開口２０４、２０６、２０８が開口されている。
実施例２では、一枚分離開口は三個であるが、二個以上であればよい。
【００４９】
しかし、一枚分離開口の数が少ない場合、整列されるコイン数が少ないのでゲームをスムーズに行うことができない場合がある。
一方、一枚分離開口の数が多い場合、コイン整列装置が大型化する。
そのため、一枚分離開口の数は、コイン１１０の直径が約２５ミリの場合、３個から５個が好ましい。
【００５０】
一枚分離開口２０４、２０６、２０８は、コイン１１０が通過できるコイン１１０の直径よりも僅かに大きい直径を有する円部２１０と、三角部２１２とを複合した形状であり、全体としてティアドロップ形である。
円部２１０の下端部は、後側壁１３２の下縁部に位置している。
これによって、規制体１３０の上面を滑り落ちて後側壁１３２にストップされたコイン１１０は、横方向にずらされるだけで一枚分離開口２０４、２０６、２０８に落下できるという効果がある。
【００５１】
三角部２１２は、上面から下方に向かって斜面２１４が形成されている。
この斜面２１４によって、コイン１１０が一枚分離開口２０４、２０６、２０８に滑り込み易い効果がある。
また、コイン１１０が弧状部１４０でジャムした場合、指先を三角部２１２に挿入して一枚分離開口２０４、２０６、２０８内のコイン１１０を下方へ押すことにより、前記ジャムを解消できる利点がある。
【００５２】
次に実施例２の作用を説明する。
コイン１１０を保留部１３４に投入すると、傾斜体１２０の傾斜により、コイン１１０は後側壁１３２側に滑り落ちる。
このコイン１１０はガイド板２０２から規制体１３０の上面を滑り落ちる。
【００５３】
おおよそ一枚分離開口２０４、２０６、２０８に相対したコイン１１０は、一枚分離開口２０４、２０６、２０８内に落下した後、傾斜体１２０を滑って弧状部１４０に達する。
さらに、弧状部１４０に案内されて実施例１同様、ガイド部１０６においてほぼ垂直に姿勢をかえられた後、選別装置１１２の投入口１１６に転がり落ちる。
【００５４】
一枚分離開口２０４、２０６、２０８におおよそ相対しないコイン１１０は、後側壁１３２に進行を阻止され、規制体１３０の上面に堆積し、疑似ジャム状態を呈する。
この状態において、疑似ジャム状態のコイン１１０を指先で攪拌することにより、一枚分離開口２０４、２０６、２０８におおよそ相対したコイン１１０は、前述のように落下してガイド部１０６から選別装置１１２に転がり込む。
【実施例３】
【００５５】
図９は、実施例３のコイン整列装置の平面図である。
図１０は、図９におけるＣ―Ｃ断面図である。
実施例１および実施例２と同様部位には、同一記号を付して説明を省略する。
【００５６】
実施例３は、実施例１と実施例２の組み合わせである。
図１０に示すように、規制体１３０と傾斜体１２０との間に第１の一枚分離開口１０４が形成されている。
また、三角部２１２の頂部２１６と規制体１３０の上端部１３２との距離は、コイン１１０の直径よりも小さい。
この関係により、コイン１１０が第１の一枚分離開口１０４においてジャムした場合、指先を三角部２１２に挿入してジャムしているコイン１１０を押し上げることにより、一枚分離開口１０４におけるジャムを解消することができる。
規制体１３０に形成された一枚分離開口２０４、２０６、２０８が第２の一枚分離開口である。
【００５７】
次に実施例３の作用を説明する。
傾斜体１２０上を滑り落ちるコイン１１０は、第１の一枚分離開口１０４を通って傾斜体１１０と規制体１３０との間の分離通路１３１に進入し、分離通路１３１をを滑り落ちる。
傾斜体１２０上を滑り落ちるコイン１１０は、第２の一枚分離開口２０４、２０６、２０８を通って傾斜体１２０上に落下する。
【００５８】
その後コイン１１０は、前述のようにガイド部１０６によってほぼ垂立状態に姿勢変化され、選別装置１１２の投入口１１６に転がり落ちる。
傾斜体１２０を滑り落ちるコイン１１０の上に第２の一枚分離開口２０４、２０６、２０８からコイン１１０が落下した場合、落下したコイン１１０は、下側のコイン１１０によって支えられる。
【００５９】
そして、下側のコイン１１０が通過した後、傾斜体１２０上に落下し、前述のようにガイド部１０６に案内される。
傾斜体１２０上を滑り落ちているコイン１１０上に規制体１３０上のコイン１１０の一部が第２の一枚分離開口２０４、２０６、２０８を介して接触した場合、規制体１３０上のコイン１１０は、傾斜体１２０上のコイン１１０によって引きずり込まれ、第２の一枚分離開口２０４、２０６、２０８に落下し、前述のように傾斜体１２０上に落下する。
このようにコイン１１０が引きずり込まれるため、コイン１１０が自動的に第２の一枚分離開口２０４、２０６、２０８に落下する率が向上する。
換言すれば、コイン１１０の整列効率が向上する。
【００６０】
コインが規制体１３０、または傾斜体１２０上で疑似ジャム状態にある場合、指先で攪拌させてジャムを解消することにより、前述のように第１の一枚分離開口１０４または第２の一枚分離開口２０４、２０６、２０８を通過することにより、コイン１１０が一枚ずつ分離されて整列される。
さらに、弧状部１４０、または第１の一枚分離開口１０４においてジャムしているコイン１１０は、三角部２１２に挿入した指先によって介在するコイン１１０を介し、または、直接強制的に動かすことにより、ジャムを解消できる。
【００６１】
コイン通路１５８においてコインジャムが生じた場合、解除レバー１６２を押すことにより、第２ガイド壁１５４を移動させて下端部１５６とガイドレール１４４との間に形成いした開口からジャムしているコイン１１０を落下させて、返却口に戻す。
【００６２】
なお、実施例２または実施例３の規制体１３０の上側に更に規制体を配置し、一枚分離開口の数を増加することができる。
【図面の簡単な説明】
【００６３】
【図１】図１は、実施例１のコイン整列装置の斜視図である。
【図２】図２は、実施例１のコイン整列装置の平面図である。
【図３】図３は、実施例１のコイン整列装置の正面図である。
【図４】図４は、実施例１のコイン整列装置の左側面図である。
【図５】図５は、図２におけるＡ―Ａ断面図である。
【図６】図６は、実施例２のコイン整列装置の斜視図である。
【図７】図７は、実施例２のコイン整列装置の平面図である。
【図８】図８は、図７におけるＢ―Ｂ断面図である。
【図９】図９は、実施例３のコイン整列装置の平面図である。
【図１０】図１０は、図９におけるＣ―Ｃ断面図である。
【符号の説明】
【００６４】
１０２  スライド部
１０４、２０４、２０６、２０６  一枚分離開口
１０６  ガイド部
１１０  コイン
１１２  選別装置
１１６  投入口
１３０  規制体
１３３  端部
１４２  第１ガイド部
１５４  第２ガイド部
２１６  上側端
【図１】
2005073976.tif 000003
【図２】
2005073976.tif 000004
【図３】
2005073976.tif 000005
【図４】
2005073976.tif 000006
【図５】
2005073976.tif 000007
【図６】
2005073976.tif 000008
【図７】
2005073976.tif 000009
【図８】
2005073976.tif 000010
【図９】
2005073976.tif 000011
【図１０】
2005073976.tif 000012